(57)【要約】【課題】バスを分析するために、試験システムのユーザをナビゲートする。【解決手段】ユーザは、シリアル又はパラレル・バスのような信号の１つ以上のレイヤの状態に関する情報を通してナビゲートされる。情報は、測定装置上に描かれる視覚物内のフィールドを選択することによって表示されても良い。特定のフィールド及びインジケータを選択することによって、測定装置の操作に関する詳しい知識を必要とせずに、レイヤの異なる側面を分析できる。【選択図】図４
2014098698.tif 000002
【特許請求の範囲】
【請求項１】
信号の１つ以上のレイヤを表示する処理と、
上記信号の表示された上記レイヤの少なくとも１つにそれぞれ関連する１つ以上の課題インジケータを表示する処理と、
表示された上記レイヤから、表示された課題インジケータを有する１つを選択する処理と、
選択され表示された上記レイヤ内の信号中に１つ以上の上記課題位置インジケータを表示する処理と
を具える信号状態分析方法。
【請求項２】
表示された複数の上記課題位置インジケータから１つを選択する処理と、
選択され表示された上記課題位置インジケータに関する１つ以上のメッセージを表示する処理と
を更に具える請求項１記載の信号状態分析方法。
【請求項３】
表示された上記レイヤの少なくとも１つとそれぞれ関連する１つ以上の選択可能な拡張型インジケータを表示する処理と、
上記拡張型インジケータから１つ以上を選択する処理と、
選択された上記拡張型インジケータと関連する表示された上記レイヤの少なくともデバック及びコンプライアンス情報に関係する情報を含み、選択された上記拡張型インジケータと関連する視覚物を表示する処理と
を更に具える請求項１記載の信号状態分析方法。
【請求項４】
実行可能な命令を記憶するよう機能するプログラム・メモリと、
信号の１つ以上のレイヤを表示し、
上記信号の表示された上記レイヤの少なくとも１つにそれぞれ関連する１つ以上の課題インジケータを表示し、
表示された上記レイヤから、表示された上記課題インジケータを有する１つを選択し、
選択され表示された上記レイヤ内の信号中に１つ以上の課題位置インジケータを表示するために、
上記メモリ内に記憶された上記命令を実行するよう動作するプロセッサと
を具える信号状態分析システム。
【請求項５】
上記プロセッサが、更に、
表示された複数の上記課題位置インジケータから１つを選択し、
選択され表示された上記課題位置インジケータに関する１つ以上のメッセージを表示するために、
上記メモリ内に記憶された上記命令を実行するよう動作することを特徴とする請求項４記載の信号状態分析システム。
【請求項６】
上記プロセッサが、更に、
表示された上記レイヤの少なくとも１つとそれぞれ関連する１つ以上の選択可能な拡張型インジケータを表示し、
上記拡張型インジケータから１つ以上を選択し、
選択された上記拡張型インジケータと関連する表示された上記レイヤの少なくともデバック及びコンプライアンス情報に関係する情報を含み、選択された上記拡張型インジケータと関連する視覚物を表示するために、
上記メモリ内に記憶された上記命令を実行するよう動作することを特徴とする請求項４記載の信号状態分析システム。
【発明の詳細な説明】
【技術分野】
【０００１】
本発明は、ユーザをナビゲート（又はガイド）しながら、信号の状態（状態）を分析する方法及びシステムに関する。
【背景技術】
【０００２】
ある電気信号（より一般的には、「バス」の信号）が認証規格（いわゆるコンプライアンス・テスト）を満たし、エラーがない（いわゆるデバッグ）ことを保証するために必要となる試験を実施するというのは、なかなか困難な作業である。プライアンス・テストを実施し、デバッグを行う者が、上述の規格の最小限の動作条件にバスが合致しているかどうかや、バスが正常に動作しているかどうかを判断するのに必要な測定に関する詳細な点を理解していないことも多い。更に、必要な測定を知っていて理解していても、測定を実施する者が、その測定を実施するのに必要な機器の使用方法を詳細には理解していないこともある。
【先行技術文献】
【特許文献】
【０００３】
【特許文献１】特開２００３−２０８３２９号公報
【発明の概要】
【発明が解決しようとする課題】
【０００４】
上述の点を考慮し、試験測定装置のメーカーは、インストラクション・マニュアル、操作ガイドといった書面の資料や、上述した測定を実施する人を支援するために、対面でのトレーニングを提供したりしている。しかし、こうした支援も、こうした試験を実施する人々の能力を大きく改善はしきれてはいないようである。
【０００５】
そこで、所与の規格、その規格で必要となる測定、問題解決の手順、その測定の実施に必要な測定装置の操作について、詳細に理解している者がいなくとも、バスその他の測定及び信号に関するコンプライアンス・テストやデバッグなどを実施する責任者が、そうしたことを行えるようにする方法や関連のシステムが必要とされている。
【課題を解決するための手段】
【０００６】
本発明による実施形態は、所与の規格、その規格で必要となる測定、問題解決の手順、その測定の実施に必要な測定装置の操作について、詳細に理解している者がいなくとも、コンプライアンス・テストやデバッグなどを実施する者（例えば、技術者、エンジニア、科学者）が、そうしたことを行えるようにするための方法及び関連するシステムに関する。本願で説明する典型的な方法及びシステムは、バスや同様の信号の分析を補助するもので、特に、分析において、測定装置（例えば、アナログ及びデジタル入力チャンネルのあるオシロスコープ）を使用する場合に適したものである。
【０００７】
本発明による代表的な方法及び関連システムでは、例えば、エラーとコンプライアンスに関連する問題をデバッグするのに役立つ現象の特定を補助する情報を通し、各自で操作を進めることができる。本発明による１つの実施形態では、例えば、デバッグ及びコンプライアンス・テスト情報を１つ以上視覚的に提示する（つまり、表示する）ことによって、これら以外の情報も加え、デバッグ及びコンプライアンス・テストの情報を通して、これらに関する操作を並行して進められるようにする。
【０００８】
本発明による実施形態は、バスや同様の信号の状態を分析する方法及びシステムを提供する。本願で説明する方法及びシステムは、バスに適用され、バスを用いて利用される。このバスには、多数のレイヤ（レイヤ：層）があり、このレイヤのいくつかは、一般にサブ・レイヤを含んでいる。本願における用語「レイヤ」は、明確に指摘するか文脈で示されない限り、レイヤかサブ・レイヤのどちらかを意味する。
【０００９】
バスの状態を分析する方法の１つは、信号（例えば、マルチ・レイヤ・バス、シリアル・バス又はパラレル・バス）の１つ以上のレイヤを表示する処理と、信号の複数の表示レイヤの少なくとも１つに夫々関連する課題インジケータを１つ以上表示する処理と、表示された課題インジケータを有する複数の上記表示レイヤの１つを選択する処理と、選択された表示レイヤ内の信号中の課題位置インジケータを１つ以上表示する処理とを具えている。この課題インジケータは、例えば、あるレイヤ（又はサブ・レイヤ）における関心のある項目（アイテム）が存在する信号の表示レイヤを見るようにユーザに注意を与える。こうした表示は、バスの分析を簡単にするのに役立つ。こうした関心のある項目には、いくつかだけ例を挙げれば、エラー、警告、助言的情報、ヘルプ関連情報、操作（navigation）補助が含まれる。課題位置インジケータは、例えば、そうした関心のある課題の信号内（つまり、レイヤ内）における特定の位置を示し、これによって、ユーザがその課題を更に調査するように促したり、補助したり、ガイドしたりする。この方法は、更に、表示された複数の課題位置インジケータから１つを選択する処理と、選択され表示された課題位置インジケータに関連する１つ以上のメッセージ（例えば、分析情報、エラー、警告、助言的情報、ヘルプ関連情報、操作補助）を表示する処理とを具えていても良い。こうした表示も、バス分析を簡単にするのに役立つ。
【００１０】
別の実施形態では、１つのレイヤ内の表示された複数の課題位置インジケータの次のものを選択し、その選択された次の課題インジケータに関連する１つ以上のメッセージを表示することによって、信号の表示レイヤの異なる部分をユーザが分析する（つまり、信号の複数のレイヤを通って移動する）ことができるようにする。ですから、本発明の複数の実施形態は、そうした複数のインジケータの使用を含む。レイヤ内を移動するのに加えて、その方法は、１つ以上の表示レイヤから次のレイヤを選択することによって、ユーザが表示された信号の１つのレイヤから他のレイヤへと移動できるようにしても良い。その後、選択された次のレイヤ内の１つ以上の課題位置インジケータが表示されても良い。本発明の別の実施形態では、例えば、いわゆる「次」及び「前」制御キーを、レイヤ内の１つの位置からレイヤ内の他の位置へと移動したり、又は、１つのレイヤから他のレイヤへと移動するのに用いても良く、表示された課題位置インジケータから次のもの又は前に選択したものを選択するためにこうしたキーが用いられる。その後、選択された次又は前に選択された課題位置インジケータに関連するつ以上のメッセージが表示されても良い。これに代えて、１つ以上の表示レイヤから次のレイヤ又は前に表示されたレイヤが選択され、そして、その後、選択された次のレイヤ又は前に選択されたレイヤ内の１つ以上の課題位置インジケータが表示されても良い。記述したばかりの実施形態には、次及び前機能を用いて、移動するのに複数の課題位置インジケータを利用することが含まれる。しかし、これは、必須ではない。更には、例えば、いわゆる「ズーム」制御キーによって、ユーザは、表示された複数の課題位置インジケータから１つを選択することができ、その後、選択された課題位置インジケータに関連する信号の領域を視覚的に変更（例えば、拡大又は縮小）できる。次及び前機能と同様に、ズーム機能は、移動のために複数の課題位置インジケータの使用を含むとして説明してきたが、これは必須ではない。
【００１１】
本発明の更に追加的な実施形態では、それぞれ少なくとも１つの表示レイヤと関連する１つ以上の選択可能で拡張可能なインジケータを表示し、複数の拡張型インジケータから１つ以上を選択し、その後、選択された拡張型インジケータに関連する視覚物（例えば、ダッシュボード：指標表示）を表示する方法を提供しても良い。この視覚物は、例えば、選択された拡張型インジケータに関連する表示レイヤの少なくともデバッグ及びコンプライアンス・テスト情報を含んでいても良い。本発明の更なる実施形態では、この視覚物が、エラー・デバッグ・フィールド、コンプライアンス・テスト・フィールド又は信号動作特性フィールドから選択される１つ以上の選択可能な状態フィールドを含んでいても良い。表示されると、別の方法では、選択された状態フィールドに関連する表示レイヤ内の信号中の１つ以上の課題位置インジケータを表示するために、視覚物中の選択可能な複数の状態フィールドから１つをユーザが選択できるようにする。ひとたび複数の課題位置インジケータが表示されれば、選択されて表示された課題位置インジケータのそれぞれに関連するメッセージも表示されて良い。
【００１２】
上述及び後述の典型的な方法は、アナログ及びデジタル入力チャンネルを含むオシロスコープのような典型的なシステムを用いて実現されても良い。このシステムは、実行可能な命令を記憶するプログラム・メモリと、典型的な方法に相当する典型的な特徴及び機能を実施するためにメモリ内に記憶された命令にアクセスして実行するよう動作可能なプロセッサとを具えている。
【００１３】
こうした典型的なシステムは、例えば、信号の１つ以上のレイヤ、複数のインジケータ、複数の視覚物を表示するための表示装置を更に具えている。
【００１４】
加えて更に、こうした典型的なシステムは、複数のインジケータ及び視覚物に加えて、信号の１つ以上のレイヤの表示を制御するための複数の制御キーからなるユーザ・インタフェースを更に具えていても良い。本発明のある実施形態では、複数の制御キーの少なくとも１つは、例えば、選択された課題位置インジケータの位置に関連する選択されたレイヤの領域を変更（拡大又は縮小）するためのズーム・キーであり、もう１つは、レイヤ内の位置からレイヤ内の別の位置へと移動したり、あるレイヤから他のレイヤに移動するための次／前制御キーである。こうした機能は、信号（例えば、バス）の分析を平易にするのに役立つ。
【００１５】
具体的には、本発明の概念１は、信号の状態を分析する方法であって、
信号の１つ以上のレイヤを表示する処理と、
上記信号の表示された上記レイヤの少なくとも１つにそれぞれ関連する１つ以上の課題インジケータを表示する処理と、
表示された上記レイヤから、表示された課題インジケータを有する１つを選択する処理と、
選択され表示された上記レイヤ内の信号中に１つ以上の上記課題位置インジケータを表示する処理と
を具えている。
【００１６】
本発明の概念２は、上記概念１の方法であって、このとき、上記信号がバスであることを特徴としている。
【００１７】
本発明の概念３は、上記概念１の方法であって、
表示された複数の上記課題位置インジケータから１つを選択する処理と、
選択され表示された上記課題位置インジケータに関する１つ以上のメッセージを表示する処理と
を更に具えている。
【００１８】
本発明の概念４は、上記概念３の方法であって、
表示された複数の上記課題位置インジケータから次の１つを選択する処理と、
選択された表示された次の上記課題位置インジケータに関する１つ以上のメッセージを表示する処理と
を更に具えている。
【００１９】
本発明の概念５は、上記概念１の方法であって、
１つ以上の表示された上記レイヤから次のレイヤを選択する処理と、
選択された次の上記レイヤ内の信号中に１つ以上の課題位置インジケータを表示する処理と
を更に具えている。
【００２０】
本発明の概念６は、上記概念３の方法であって、
表示された複数の上記課題位置インジケータから次のもの又は前に選択されたものを選択する処理と、
選択された次又は前に選択された上記課題位置インジケータに関連する１つ以上のメッセージを表示する処理と
を更に具えている。
【００２１】
本発明の概念７は、上記概念１の方法であって、
１つ以上の上記表示されたレイヤから次のレイヤ又は前に表示されたレイヤを選択する処理と、
選択された次又は前に選択された上記レイヤ内の信号中の１つ以上の課題位置インジケータを表示する処理と
を更に具えている。
【００２２】
本発明の概念８は、上記概念１の方法であって、
表示された複数の上記課題位置インジケータから１つを選択する処理と、
選択された上記課題位置インジケータに関連する信号の領域を視覚的に変更する処理と
を更に具えている。
【００２３】
本発明の概念９は、上記概念１の方法であって、
表示された上記レイヤの少なくとも１つとそれぞれ関連する１つ以上の選択可能な拡張型インジケータを表示する処理と、
上記拡張型インジケータから１つ以上を選択する処理と、
選択された上記拡張型インジケータと関連する表示された上記レイヤの少なくともデバック及びコンプライアンス情報に関係する情報を含み、選択された上記拡張型インジケータと関連する視覚物を表示する処理と
を更に具えている。
【００２４】
本発明の概念１０は、上記概念９の方法であって、このとき、上記視覚物が、１つ以上の選択可能な状態フィールドを含み、このとき、１つ以上の上記選択可能な状態フィールドが、エラー・デバッグ・フィールド、コンプライアンス・テスト・フィールド又は信号動作特性フィールドを含んでいることを特徴としている。
【００２５】
本発明の概念１１は、上記概念１０の方法であって、
複数の上記選択可能な状態フィールドから１つを選択する処理と、
選択された上記状態フィールドに関連する表示されたレイヤ内の信号中に１つ以上の課題位置インジケータを表示する処理と
を更に具えている。
【００２６】
本発明の概念１２は、上記概念１１の方法であって、選択され表示された上記課題位置インジケータのそれぞれに関連するメッセージを表示する処理を更に具えている。
【００２７】
本発明の概念１３は、信号の状態を分析するシステムであって、
実行可能な命令を記憶するよう機能するプログラム・メモリと、
信号の１つ以上のレイヤを表示し、
上記信号の表示された上記レイヤの少なくとも１つにそれぞれ関連する１つ以上の課題インジケータを表示し、
表示された上記レイヤから、表示された上記課題インジケータを有する１つを選択し、
選択され表示された上記レイヤ内の信号中に１つ以上の課題位置インジケータを表示するために、
上記メモリ内に記憶された上記命令を実行するよう動作するプロセッサと
を具えている。
【００２８】
本発明の概念１４は、上記概念１３のシステムであって、このとき、上記信号がバスであることを特徴としている。
【００２９】
本発明の概念１５は、上記概念１３のシステムであって、このとき、上記プロセッサが、更に、
表示された複数の上記課題位置インジケータから１つを選択し、
選択され表示された上記課題位置インジケータに関する１つ以上のメッセージを表示するために、
上記メモリ内に記憶された上記命令を実行するよう動作することを特徴としている。
【００３０】
本発明の概念１６は、上記概念１５のシステムであって、このとき、上記プロセッサが、更に、
表示された複数の上記課題位置インジケータから次の１つを選択し、
選択された表示された次の上記課題位置インジケータに関する１つ以上のメッセージを表示するために、
上記メモリ内に記憶された上記命令を実行するよう動作することを特徴としている。
【００３１】
本発明の概念１７は、上記概念１３のシステムであって、このとき、上記プロセッサが、更に、
１つ以上の表示された上記レイヤから次のレイヤを選択し、
選択された次の上記レイヤ内の信号中に１つ以上の課題位置インジケータを表示するために、
上記メモリ内に記憶された上記命令を実行するよう動作することを特徴としている。
【００３２】
本発明の概念１８は、上記概念１５のシステムであって、このとき、上記プロセッサが、更に、
表示された複数の上記課題位置インジケータから次のもの又は前に選択されたものを選択し、
選択された次又は前に選択された上記課題位置インジケータに関連する１つ以上のメッセージを表示するために、
上記メモリ内に記憶された上記命令を実行するよう動作することを特徴としている。
【００３３】
本発明の概念１９は、上記概念１３のシステムであって、このとき、上記プロセッサが、更に、
１つ以上の上記表示されたレイヤから次のレイヤ又は前に表示されたレイヤを選択し、
選択された次又は前に選択された上記レイヤ内の信号中の１つ以上の課題位置インジケータを表示するために、
上記メモリ内に記憶された上記命令を実行するよう動作することを特徴としている。
【００３４】
本発明の概念２０は、上記概念１３のシステムであって、このとき、上記プロセッサが、更に、
表示された複数の上記課題位置インジケータから１つを選択し、
選択された上記課題位置インジケータに関連する信号の領域を視覚的に変更するために、
上記メモリ内に記憶された上記命令を実行するよう動作することを特徴としている。
【００３５】
本発明の概念２１は、上記概念１３のシステムであって、このとき、上記プロセッサが、更に、
表示された上記レイヤの少なくとも１つとそれぞれ関連する１つ以上の選択可能な拡張型インジケータを表示し、
上記拡張型インジケータから１つ以上を選択し、
選択された上記拡張型インジケータと関連する表示された上記レイヤの少なくともデバック及びコンプライアンス情報に関係する情報を含み、選択された上記拡張型インジケータと関連する視覚物を表示するために、
上記メモリ内に記憶された上記命令を実行するよう動作することを特徴としている。
【００３６】
本発明の概念２２は、上記概念２１のシステムであって、このとき、上記視覚物が、１つ以上の選択可能な状態フィールドを含み、このとき、１つ以上の上記選択可能な状態フィールドが、エラー・デバッグ・フィールド、コンプライアンス・テスト・フィールド又は信号動作特性フィールドを含んでいることを特徴としている。
【００３７】
本発明の概念２３は、上記概念２２のシステムであって、このとき、上記プロセッサが、更に、
複数の上記選択可能な状態フィールドから１つを選択し、
選択された上記状態フィールドに関連する表示されたレイヤ内の信号中に１つ以上の課題位置インジケータを表示するために、
上記メモリ内に記憶された上記命令を実行するよう動作することを特徴としている。
【００３８】
本発明の概念２４は、上記概念２３のシステムであって、このとき、上記プロセッサが、更に、選択され表示された上記課題位置インジケータのそれぞれに関連するメッセージを表示するために、上記メモリ内に記憶された上記命令を実行するよう動作することを特徴としている。
【００３９】
本発明の概念２５は、上記概念１３のシステムであって、少なくとも１つ以上の上記レイヤ、１つ以上の上記課題インジケータ及び１つ以上の上記課題位置インジケータを表示する表示装置を更に具えている。
【００４０】
本発明の概念２６は、上記概念１３のシステムであって、このとき、上記システムがオシロスコープから構成されることを特徴としている。
【００４１】
本発明の概念２７は、上記概念１３のシステムであって、このとき、上記システムが、少なくとも１つ以上の上記レイヤの表示を制御するインターフェースを更に具え、上記インターフェースが複数の制御キーを有することを特徴としている。
【００４２】
本発明の更なる特徴は、添付の図面を参照して始まる検討の過程で明らかとなろう。
【図面の簡単な説明】
【００４３】
【図１】図１は、本発明の１つの実施形態による信号（例えば、バス）の状態を分析するシステムのブロック図を描いている。
【図２Ａ】図２Ａは、本発明の実施形態によるバスの複数のレイヤの表示を描いている。
【図２Ｂ】図２Ｂは、本発明の実施形態によるバスの１つのレイヤの複数のサブ・レイヤの表示を描いている。
【図３】図３は、本発明の実施形態によるバスの状態分析に利用される複数のインジケータを含むバスのレイヤ又はサブ・レイヤの表示を描いている。
【図４】図４は、本発明の実施形態によるバスの状態分析に利用される視覚物の表示を描いている。
【図５】図５は、本発明の実施形態によるバスの状態分析のために、典型的なシステムで実行しても良い典型的な処理のフローチャートを描いている。
【図６】図６は、本発明の実施形態による典型的なシステムの一部としても良いユーザ・インタフェースを描いている。
【発明を実施するための形態】
【００４４】
発明のやり方の実施形態（つまり、例）の詳細を説明する前に、そうしたやり方を実現するのに利用できる関連するシステムの実施形態について、簡単に説明する。
【００４５】
ここで図１を参照すると、本発明の実施形態によるバス又は類似の信号の状態を分析するためのシステム１のブロック図が示されている。こうしたシステムの１例は、１つ以上のアナログ及びデジタル入力チャンネルを有するオシロスコープである。とは言っても、他の試験測定システム／デバイスを用いても同様に良い。以下の説明は、本発明に関連するシステムの機能に焦点を当てている。従って、オシロスコープの伝統的な動作、例えば、オシロスコープがどのように信号をサンプルしてメモリに記憶するかというようなことに関する詳細は、あまり詳しくは論じない。
【００４６】
図１に示されるように、システム１が、例えば、アナログ・チャンネル入力部２ａ、デジタル・チャンネル入力部２ｂ、取込み部３、プロセッサ４、入力部５、表示部６及びインターフェース部７を含んでいても良い。本発明の１つの実施形態では、部分２ａが、アナログ・デジタル（Ａ／Ｄ）コンバータを含み、一方、部分２ｂが比較器を含んでいる。図１には示さないが、当然ながら、システム１、そして特に入力部２ａ、２ｂは、１つ以上のチャンネル（例えば、１個、２個、４個又は更に多数のチャンネル）を介して、経路１０ａ又は１０ｂを介して電子又は通信デバイスなどからの信号を含む１つ以上のアナログ又はデジタル入力信号を受けることができるようにしても良く、アナログ信号が部分２ａを介して入力される一方、デジタル信号が部分２ｂを介して入力されることも理解されよう。入力部２ａ、２ｂは、既知のクロック信号源（図示せず）で生成されるクロック信号に応じて、１つ以上の信号を受けてデジタル化し、そのデジタル化信号を入力経路８ａ、８ｂを介して部分３へと送信することができるように動作しても良い。部分２ａ、２ｂで生成されたデジタル化入力信号を表現するものは、取込み部３の取込みメモリ３ａ中に、デジタル化され、取り込まれたデータとして記憶されても良い。プロセッサによって、そのデータを更に処理又は分析することを可能とするため、取込み部３は、プロセッサ４と通信することができるようにしても良い。
【００４７】
プロセッサ４は、システム１の種々の動作を管理し、取込みメモリ３ａ内に記憶されたデータを処理及び分析することを含む種々の機能を実行するために、関連するプログラム・メモリ４ａに記憶された実行可能な命令にアクセスできるようにしても良い。プロセッサ４は、例えば、１つ以上のプログラマブル・デジタル・シグナル・プロセッサ、プログラマブル・マイクロプロセッサ、又は複数のプログラマブル・コントローラとして実現されても良い。更に別の実施形態では、プロセッサ４が複数のプロセッサを用いて実現され、あるプロセッサは、データ及び入力信号の取込み（アクイジション）、分析及び処理を制御するのに利用される一方、２番目のものは、システム１の他の動作を制御するようにしても良い。システム１が、更に、マイクロソフト社で設計開発されたＷｉｎｄｏｗｓ ＸＰ.ＲＴＭのようなＷｉｎｄｏｗｓ.ＲＴＭオペレーティング・システムを用いて制御されても良く、これは、例えば、プログラム・メモリ４ａ内に記憶され、プロセッサ４によってアクセスされる。
【００４８】
取込みメモリ３ａ及びプログラム・メモリ４ａは、取り込みデータ、又は、プロセッサ４がアクセス可能で実行することができる実行可能な命令及びプログラム（まとめて「命令」又は「実行可能な命令」と呼ぶ）を蓄積できる任意の適切な記録媒体又は蓄積媒体から構成しても良い。例えば、メモリ３ａ、４ａは、ＲＡＭ、ＲＯＭ又はキャッシュ・メモリの形態をとっても良い。ＲＡＭメモリは、取込みデータ及び対応するデータ・パターンのような揮発性データを記憶できるようにしても良い。取込みメモリ３ａ及びプログラム・メモリ４ａは、２つ別々のメモリとして描かれているが、これらメモリを１つのメモリに組み合わせ可能であるし、あるいは、より多数のメモリに更に分割することも可能であると理解すべきである。これに代えて、インターフェース部７及びインターフェース経路９を介してプロセッサ４がアクセス可能で、メモリ３ａ、４ａとは別個の記録可能媒体中に、取込みデータ又は実行可能な命令を記憶しても良い。こうした媒体は、大容量記憶ユニットの外部又は内部大容量記憶媒体から構成しても良い。
【００４９】
プロセッサ４は、例えば、キーパッド、「マウス」に基づくカーソル、ポインティング・デバイス又はタッチ・スクリーンから構成されても良い入力部５を介して、コマンドを受けることができるようにしても良い。これら機能の中で、プロセッサ４は、表示部６上の信号（例えば、バス）の複数のレイヤ及びサブ・レイヤ、複数のインジケータ及び複数の視覚物からなる表示を制御できるようにしても良い。表示部６は、陰極線管（ＣＲＴ）、液晶ディスプレイ（ＬＣＤ）又はその他の表示デイバスから構成されても良い。プロセッサ４は、更に、インターフェース経路９を介して、付加的なデバイスと通信できるようにしても良く、インターフェース経路９には、インターフェース部７を経由する汎用インターフェース・バス（ＧＰＩＢ）、インターネット・プロトコル（ＩＰ）リンク、イーサネット・リンク、ユニバーサル・シリアル・バス（ＵＳＢ）、次世代ＵＳＢ又は更に高速なインターフェース、独自仕様のリンク（proprietary link）又はその他の通信経路が含まれる。プロセッサ４が表示装置を含むスマートフォン、タブレット又はその他のデバイスと通信する場合では、プロセッサ４は、更に、データを適切にフォーマットし、そうしたデバイスで表示するように提供することができるようにしても良く、更に加えて、そうしたデバイスからコマンドとデータを受けて、例えば、取り込んだデータを分析又は表示できるようにしても良い。システム１のコンポーネント（構成要素）は、互いに直接結合されるように示されているが、システム１が、他の回路又はソフトウェア・コンポーネントを含んでいても良く、それらは必ずしも示されないが、システム１の図示したコンポーネント間に配置されるか、又は、システム１の図示したコンポーネントと関連している。こうした回路は、メモリ４ａ中に記憶された実行可能な命令に従った機能を実行するために、プロセッサ４と連動して利用可能な専用回路に加えて、電源、クロック回路、キャッシュ・メモリ、入力／出力（Ｉ／Ｏ）回路などを含んでいても良い。Ｉ／Ｏ回路は、プロセッサ４と通信するか又は接続される図示した種々の要素間のインターフェースを形成するのに利用できる。
【００５０】
更に別の実施形態では、プロセッサ４及びメモリ４ａを使うというよりは、システム１が、１つ以上の特定用途向けＩＣ（ＡＳＩＣ）から構成されていても良い。
【００５１】
ここで図２Ａを参照すると、バス又は他の形式の取込み信号（まとめて「バス」と呼ぶ：そのサンプル・データは、取込みメモリ３ａ中に記憶され、表示部６に表示されても良い）の分析において、システム１のユーザを支援するため、システム１が、表示部６上に、バス１００の１つ以上のレイヤ１０４ａ〜ｄを含む表示１１０を表示できるようにしても良い。信号の理解を簡単にするため、図２Ａに描かれたレイヤ１０４ａ〜ｄのそれぞれに関連するパターン又は波形は省略されていることに注意されたい。その代わり、複数のレイヤそれら自身にラベルが付されているだけである。いくつかの典型的な信号、パターン又は波形が図２Ｂに示されている。図２Ｂに示された信号、パターン又は波形は、レイヤ１０４ｂのサブ・レイヤ１０５ａ〜ｄ内のものではあるが、しかしながら、それらは代表的なものである。更に、レイヤ１０４ｂ内の代表的な信号３０１が、図３に描かれている。続けると、システム１が、更に１つ以上の課題インジケータ１０２ａ、ｂを表示できるようにしても良く、このとき、各課題インジケータは、バス１００の表示されたレイヤ１０４ａ、ｂの少なくとも１つと関連している。本発明の１つの実施形態では、課題インジケータ１０２ａ、ｂは、あるレイヤ（又はサブ・レイヤ）、この場合では、レイヤ１０４ａ、ｂに関して、ある項目があることを、例えば、ユーザに知らせするために利用されても良い。こうした留意すべき項目には、いくつか例を挙げれば、エラー、警告、助言的情報、「ヘルプ」関連情報、操作（ナビゲーション）支援を含んでいても良い。このように、これらインジケータ１０２ａ、ｂは、システム１のユーザに、示された課題を更に調査するよう促すために利用されても良い。図２Ａに描かれた実施形態では、表示１１０は、２つの課題インジケータ１０２ａ、ｂを含む。１つ目のインジケータ１０２ａはバス１００と関連し、もう１つのもの１０２ｂは、レイヤ１０４ｂと関連する。システム１のユーザは、表示１１０及びインジケータ１０２ａ、ｂを見て、バス１００に関して、そして、特にレイヤ１０４ｂ内の信号に関して、解決すべき課題があることを理解するであろう。従って、本発明の実施形態では、システム１が、表示された課題インジケータ１０２ａ、ｂを有する表示されたレイヤ１０４ａ、ｂから１つを選択できるようにしても良い。こうした選択に応じて、システム１が、選択され、表示されたレイヤ、この場合では、レイヤ１０４ｂ内の信号３０１（図３を参照ください）中の１つ以上の課題位置インジケータ３０２ａ、ｂ（再度、図３を参照ください）を更に表示できるようにしても良い。このように、関連する課題インジケータ（例えば、１０２ｂ）を有するレイヤ（例えば、１０４ｂ）を選択すると、選択されたレイヤのある信号（例えば、３０１）内の特定位置において、特定の課題位置インジケータ（例えば、３０２ａ、ｂ）が表示されるという結果となる。図２Ａに更に示されているのは、１つ以上のレイヤ・インジケータ１０１ａ〜ｄであり、このとき、各レイヤ・インジケータは、少なくとも１つのレイヤ１０４ａ〜ｄと、１つ以上の選択可能な拡張型インジケータ１０３と関連しており、ここで、各インジケータ１０３は、バス１００内の１つのレイヤと関連していても良い。レイヤ１０４ａ〜ｄは、バスがシリアル・バスの場合、例えば、「レーン（Lane）」と呼んでも良い。本発明の実施形態に従えば、バス１００は、シリアル又はパラレル・バスを含んでいても良い。選択可能な拡張型インジケータ（複数の場合もあり）１０３の機能については、この議論において後述する。「システム１が、動作可能である」という表現又は類似の表現は、本願では、プロセッサ４が、例えば、プログラム・メモリ４中に記憶された実行可能な命令にアクセスして実行できることや、取込みメモリ３ａ内に記憶された取込みデータにアクセスできることを意味していることに注意されたい。更に、ここでインジケータが信号中又は信号内に表示されるとして記述された場合、これは、あるインジケータが、信号の一部分の一番上に重ねられて、又は、信号の一部分と関連して、表示上で示されることを意味すると理解すべきである。あるインジケータが、実際にオリジナルの信号の一部分であったり、オリジナルの信号又はデータの一部分を形成することは、意味していない。言い換えると、そのインジケータは、表示する目的で利用されている。
【００５２】
図２Ａは、４つのレイヤ１０４ａ〜ｄ、４つのレイヤ・インジケータ１０１ａ〜ｄ、２つの課題インジケータ１０２ａ、ｂ、そして、１つの拡張型インジケータ１０３を描いているが、当然ながら、これは説明の都合に過ぎず、バス１００は、より少数か又はより多数のレイヤ又はインジケータを含んでいても良い。更に、図２Ａに示したインジケータの形式は、感嘆符（びっくりマーク、課題インジケータについて）、シェブロン（「＞＞」、選択可能な拡張型インジケータについて）、そして、プラス及びマイナス符号（「＋」、「−」、レイヤ・インジケータについて）を含むが、これらインジケータは、説明の都合に過ぎず、あらゆる異なる形式のインジケータを使って良く、それでも以前として本発明の主旨と範囲でカバーされることも当然である。
【００５３】
既に述べたように、別途明確に示されるか又は文脈で示されるので無い限り、本願では、表現「レイヤ」は、レイヤ又はサブ・レイヤを指している。この点を考慮に入れて、ここで図２Ｂを参照すると、表示部６上に、本発明の実施形態に従った、バス１００のレイヤ１０４ｂのサブ・レイヤ１０５ａ〜ｄ内の典型的な信号の表示１１１が描かれてある。図２Ａがバス１００のレイヤ１０４ａ〜ｄを描く一方で、レイヤ１０４ａ〜ｄのそれぞれは、更に、１つ以上の（つまり、複数の）サブ・レイヤから構成されても良いと理解すべきである。図２Ｂに描かれた例では、レイヤ１０４ｂは、例えば、サブ・レイヤ１０５ａ〜ｄを含むとして描かれている。サブ・レイヤ１０５ａ〜ｄ内の信号は、例えば、ＰＨＹ、８Ｂ１０ｂ、未加工のビット（Bit）、そしてデジタル信号を含んでいても良い。従って、本発明の実施形態によれば、システム１が、あるレイヤの各サブ・レイヤに関して上述及び後述する特徴及び機能を実行できる。例えば、システム１が、（数ある中でも特に）ある信号のレイヤの１つ以上のサブ・レイヤを表示し、それぞれ少なくとも１つの表示されたサブ・レイヤと関連する１つ以上の課題インジケータを表示し、表示された課題インジケータを有する表示されたサブ・レイヤの１つを選択し、そして、選択され、表示されたサブ・レイヤ内のある信号中の１つ以上の課題位置インジケータを表示するように動作できる。
【００５４】
本発明の実施形態によれば、課題インジケータに関連するレイヤ（又はインジケータ自身）の選択は、多数の方法で実行されて良い。例えば、課題インジケータ１０２ｂは、入力部５を介してユーザが操作する「マウス」制御のカーソルによって、カーソルがインジケータ１０２ｂの上に配置されて、選択されても良く、さもなくば、レイヤ１０４ｂの任意の他の部分に配置されて、レイヤ１０４ｂを選択する。これに代えて、表示部６がタッチ・スクリーンのようなものを含む場合、タッチ・スクリーンを用いて、課題インジケータに関連する表示部６の表面にタッチすることによってレイヤの選択を実行しても良い。更には、その選択は、図６に描いたユーザ・インタフェース６０によって実行しても良い。本発明の実施形態では、図６に示す１つ以上の制御キー６１〜６５が、課題インジケータ１０２ｂ又はレイヤ１０４ｂを選択するように機能する。更に加えて、例えば、インターフェース部７及び経路９を介してシステム１を制御するよう動作可能な独立したコントローラ（図示せず）に記憶されるか又はプログラム・メモリ４に記憶され、プロセッサ４と連動する予め定めたプログラム又はルーチンによって、上記選択が行われても良い。どの実施形態でも、ひとたび課題インジケータ又はレイヤが選択されれば、システム１が、例えば、インジケータ又はレイヤを強調表示（例えば、色を変えたり、色を加えたり、又は、何らかの他の形式で強調）するか、又は、選択されたインジケータ又はレイヤに隣接してメッセージを表示することによって、そのインジケータ又はレイヤが選択されたことを、さもなければ示すように動作しても良い。
【００５５】
ここで図３を参照すると、上述のように、本発明の１つの実施形態では、表示された課題インジケータ１０２ａ、ｂを有する表示されたレイヤ１０４ａ、ｂから１つを選ぶと、システム１が、選択され表示されたレイヤ、この場合ではレイヤ１０４ｂ内の信号３０１中に、１つ以上の課題位置インジケータ３０２ａ、ｂを更に表示できるようにしても良い。２つのインジケータ３０２ａ、ｂのみを描いているが、これは説明の都合に過ぎず、もっと少ない数か又はもっと多い数のインジケータが表示されても良いと理解すべきである。本発明の追加的な実施形態によれば、バス、特にバスのレイヤ内の信号の状態を分析する能力は、表示された課題位置インジケータ３０２ａ、ｂから１つを選択し、その選択され表示された課題位置インジケータに関連する１つ以上のメッセージ（図示せず）を表示することによって、更に支援及び強化される。表示されるメッセージは、任意の数のメッセージ又はどのような形式のメッセージから構成されていても良く、メッセージには、いくつかだけ例を挙げれば、分析的な情報（例えば、立ち上がり時間が範囲外）、エラー、警告、助言的情報、ヘルプ関連情報や操作（ナビゲーション）支援が含まれるが、これらに限定されない。メッセージの形式は、テキスト・ボックス又は別の形式の視覚的インジケータでも良く、これは、特定の課題に関する情報を含む。視覚的メッセージを表示するのに加えて、音声メッセージを発生するか、又は、視覚的及び音声メッセージの組み合わせを用いても良い。上述の課題インジケータ及びレイヤの選択と同様に、課題位置インジケータの選択も、あらゆる手段で実現されて良く、それらの例は上述してきている。例えば、図３に示す課題インジケータ３０２ａ、ｂを選択するため、ユーザは、インジケータ３０２ａ、ｂに関連する表示部６の表面を単純にタッチするか、マウス制御のカーソルを使うか、キーパッドを介して命令を入力しても良い。その後、ひとたびある特定の課題位置インジケータ（例えば、３０２ａ）が選択されれば、システム１が、表示された課題位置インジケータから次の１つ（例えば、３０２ｂ）を選択できるようにして、選択された次の課題位置インジケータのための１つ以上のメッセージを表示できるようにしても良い。レイヤ内の１つの課題位置インジケータから別のものへと（又は後述のようにレイヤ間を）前進（ナビゲート）又は移動する能力は、信号の表示されたレイヤの異なる部分を分析する能力をユーザに提供する。とは言っても、本発明のナビゲーション機能は、課題位置インジケータの利用に限定されるものでないことは、再度注意すべきである。その代わりに、システム１が、課題位置インジケータを利用せずに、例えば、レイヤ内の信号のある部分から同じ信号の別の部分又は別のレイヤ中の別の信号の部分へと移動できるようにしても良い。
【００５６】
次の課題位置インジケータの選択、又は、更に言えば、任意のインジケータ若しくは部分の選択は、先に説明したあらゆる方法及び手段を用いて実現されて良い。更には、本発明の追加的な実施形態では、表示された課題位置インジケータの次のもの又は、前に選択されたものの選択は、図６に描かれたキー６２のような次又は前制御キーを用いて実現されても良い。別の実施形態では、次及び前制御キーは、課題位置インジケータの利用又は位置とは関係なく、又は、課題位置インジケータの利用又は位置に関して上述した若しくは後述する複数のレイヤ、複数のインジケータ又は複数の視覚物から任意のものを選択するのにも利用されて良い。続けると、次又は前キーを押し下げるか、そうでなければアクティブにすると、プロセッサ４は、メモリ４内の命令にアクセスし、関連するあらゆる機能（例えば、次又は前に表示されたインジケータへ移動する）を実行できるようにしても良い。次又は前に選択された課題位置インジケータを選択すると、システム１が、選択された次又は前に選択された課題位置インジケータに関連する１つ以上のメッセージを表示できるようにしても良い。次又は前機能に加えて、更なる実施形態では、ズーム機能を提供する。本発明のある実施形態では、システム１が、インジケータ３０２ｂのような選択された課題位置インジケータに関連する信号３０１のような信号の領域を視覚的に変更（拡大又は縮小）しても良い。更に、ズーム機能を選択機能と組み合わせて、信号のその領域を選択すると同時に視覚的に変更するようにしても良い。本発明のある実施形態では、選択された課題位置インジケータに関連する信号３０１のような信号の領域の変更は、図６に描かれたキー６５のようなズーム制御キーを用いて実行されても良い。別の実施形態では、ズーム機能を選択機能と組み合わせて、課題位置インジケータの位置とは関係なしに、信号のその領域を選択すると同時に視覚的に変更するようにしても良い（例えば、ユーザは、表示内の任意の位置に移動できる）。
【００５７】
レイヤ内のあるインジケータから別のものへと移動するのに加えて、本発明は、ユーザが複数レイヤ間を移動可能にする実施形態を提供する。例えば、レイヤ１０４ｂから、図２中のレイヤ１０４ｃへの、又は、別のレイヤ内のサブ・レイヤへの移動又は前進である。本発明のある実施形態では、システム１が、例えば、関連する課題インジケータを有する１つ以上の表示されたレイヤから次のレイヤ（図２Ａ又は２Ｂには示さず）を選択し、続いて、選択された次のレイヤ内の信号中の１つ以上の課題位置インジケータをズーム機能を用いて表示できるようにしても良い。更に加えて、システム１が、例えば、関連する課題インジケータを有する１つ以上の表示されたレイヤから次のレイヤ又は前に表示されたレイヤを選択し、続いて、選択された次又は前に選択されたレイヤ内の信号中の１つ以上の課題位置インジケータを次又は前機能を用いて表示できるようにしても良い。
【００５８】
本発明のある実施形態では、移動（ナビゲーション）するのに、１つ以上のインジケータの順次連続する選択（例えば、あるインジケータから次又は前のインジケートへの移動）を含んでいても良いし、又は、カスタマイズされても良い。例えば、その選択には、１つの形式のインジケータから類似する形式のインジケータ（例えば、測定範囲外を示す課題インジケータのみ）への移動（選択）を含んでいても良い。
【００５９】
図３では、インジケータ３０２ａ、ｂは、波形又は信号３０１に沿って配置された強調表示されたインジケータとして描かれている。当然ながら、これは、説明の都合に過ぎず、これに代わる実施形態では、いくらかだけ例を挙げれば、インジケータ３０２ａ、ｂが、異なる色で強調表示されたインジケータ、より暗いか又は明るく強調表示されたインジケータ、又はグリフ（glyph：絵文字）インジケータのような、多数の異なる形式のインジケータのどれかから構成されていても良い。
【００６０】
ここで図２Ａ及び４を参照すると、本発明は、バスの分析を支援するための追加の実施形態を提供する。図２Ａに描かれたように、システム１が、１つ以上の選択可能な拡張型インジケータ（例えば、１０３）を表示できるようにしても良く、各拡張型インジケータは、表示されたレイヤの少なくとも１つ（例えば、１０４ｂ）と関連している。更に、インジケータ１０３のような選択可能な拡張型インジケータを選択すると、システム１が、選択された拡張型インジケータに関連する図４に示す視覚物２１０のような視覚物を生成及び表示できるようにしても良い。視覚物２１０は、選択された拡張型インジケータ１０３に関連する表示されたレイヤ１０４ｂの少なくともデバッグとコンプライアンス・テストの情報に関する種々のインジケータ、フィールド及び情報を含んでいても良い。拡張型インジケータ１０３がレイヤ１０４ｂと関連し、また、課題インジケータ１０２ｂとも関連しているので、拡張型インジケータ１０３を選択することによって、ユーザは、インジケータ１０２ｂによって特定され指摘されたレイヤ１０４ｂ内の信号に関するその１つの課題（又は複数の課題）を、視覚物２１０内の内容（コンテンツ）を調べることによって、更に調査できるであろう。
【００６１】
図４に示す実施形態に描かれるように、視覚物２１０は、１つ以上の選択可能な状態フィールド２０２ａ〜ｃ（例えば、チェック・ボックス）を含んでいて良い。本発明のある実施形態では、視覚物２１０は、ダッシュボード２０１を含んでいても良く、これは、１つ以上の選択可能な状態フィールド２０２ａ〜ｃを含み、選択されると、バス１００の少なくとも１つのレイヤ１０４ｂ内の信号の少なくともデバッグ、コンプライアンス・テストや信号動作特性情報に関連する情報２０３ａ〜ｃを表示するよう機能する。従って、本発明の１つの実施形態では、フィールド２０２ａ〜ｃをデバッグ、コンプライアンス・テスト及び信号動作特性フィールド２０２ａ〜ｃと呼ぶことができよう。これに代えて、フィールド２０２ａ〜ｃや情報２０３ａ〜ｃは、インジケータ１０３のような拡張型インジケータを選択すると、実質的に同時に表示されても良い。即ち、後者の実施形態では、ユーザがフィールド２０２ａ〜ｃを選択することを必ずしも必要とせずに、情報２０３ａ〜ｃを表示しても良い。当然ながら、フィールド２０２ａ〜ｃは、３つの「チェック・ボックス」として描かれているが、これは説明の都合に過ぎず、情報２０３ａ〜ｃを表示したり、分類したりするのに、任意の数のフィールド、どのような形式のフィールド又は入力メカニズムを用いても良く、そうしたものも本発明の主旨と範囲でカバーされる。
【００６２】
視覚物２１０内に情報２０３ａ〜ｃを表示することに加えて、選択可能な状態フィールド２０２ａ〜ｃから１つを選択し、続いて、例えば、表示信号インジケータ２０４（オプション）を選択すると、システム１が、選択された状態フィールドに関連するレイヤ（例えば、１０４ｂ）内の信号（例えば、３０１）中のインジケータ３０２ａ、ｂのような１つ以上の課題位置インジケータを表示するよう動作しても良い。従って、１つの実施形態では、選択された状態フィールド２０２ａ〜ｃによって、異なる課題位置インジケータ３０２ａ、ｂが信号３０１に含まれるようにしても良い。上述のように、課題位置インジケータ３０２ａ、ｂのそれぞれは、関心のある課題の存在を示していることがあり、信号３０１内の特定の場所又は位置に表示される。この実施形態では、これらインジケータが、選択された状態フィールド２０２ａ〜ｃに関連している。ひとたびバス（例えば、信号３０１）及びその課題位置インジケータ（３０２ａ、ｂ）が表示されると、システム１は、上述したものと同様に、選択され、表示された課題位置インジケータのそれぞれと関連するメッセージを表示するように更に動作しても良い。このように、本発明は、課題位置インジケータ及びメッセージを含む信号を表示するのに、そうした信号及びメッセージを直接生成するか、又は、図２Ａの視覚物２１０のような視覚物の利用を通じて間接的にかのどちらかという、２つのやり方を提供する。利用するやり方に関係なく、ひとたび信号とその関連する課題位置インジケータ及びメッセージが生成され表示されれば、ユーザは、１つのレイヤ内の１つのインジケータから別のものへ、又は、１つのレイヤから別のものへと移動（ナビゲート）できる。更に別の実施形態では、ひとたび状態フィールド２０２ａ〜ｃが選択されれば、システム１が、例えば、課題位置インジケータ無しで信号３０１を表示するように動作し、その後、更に、ユーザが信号３０１のある部分から信号３０１内の別の部分か又は別の信号若しくはレイヤへと移動できるように動作しても良い。
【００６３】
図４に描いた形式の視覚物２１０を表示するのに加えて、システム１が、異なる視覚物を表示するように動作しても良い。例えば、本発明のある実施形態では、ユーザが信号内のレイヤとインタラクティブな操作ができるような別の視覚物（複数の場合も有り）を表示しても良い。具体的には、ある形式の視覚物は、あるレイヤ中の信号を評価するのに使用される試験や動作のパラメータ（例えば、トリガ）を個々に制御するために、バスの階層の異なるレイヤから項目、例えば、（フィールド）をユーザが選択できるようにしても良い。
【００６４】
上述した特徴、機能及び処理（視覚物、レイヤ、イジンケータ、メッセージの生成と表示）を実現するため、この場合も先と同様に、システム１が、例えば、これら特徴、機能及び処理を実行又は実現するためのプログラム・メモリ４ａに記憶された命令にアクセスして実行するよう動作するプロセッサ４を含んでいても良い。
【００６５】
ここで図５を参照すると、信号（例えば、バス）の分析を支援するために、システム１が実行しても良い１つの処理の代表的なフローチャートの概要が描かれている。図５に描かれた処理では、複数のインジケータの利用が含まれているが、本発明の追加の実施形態では、そうしたインジケータを必要としないと理解すべきである。図５を参照すると、こうした処理は、ステップ５０１において、ある信号の１つ以上のレイヤを表示し、ステップ５０２において、上記信号の表示された複数のレイヤの少なくとも１つにそれぞれ関連する１つ以上の課題インジケータを表示し、ステップ５０３において、複数の表示されたレイヤから、表示された課題インジケータを有する１つを選択し、そして、ステップ５０４において、選択され表示されたレイヤ内の信号に、１つ以上の課題位置インジケータを表示する。この処理は、更に、ステップ５０５において、表示された複数の課題位置インジケータから１つを選択し、その選択され表示された課題位置インジケータに関する１つ以上のメッセージを表示する処理を更に含んでいても良い。
【００６６】
ここで図６を参照すると、ユーザ・インタフェース６０が描かれてあり、これはシステム１の一部分としても良く、バスの１つ以上のレイヤの生成と表示や、視覚物及び視覚物内に含まれるもの選択を制御すると共に、レイヤ及びインジケータ間を移動するためのものである。本発明の実施形態によれば、インターフェース６０は、本願で説明したレイヤ、視覚物、こうした視覚物に伴うコンテンツを移動、生成、表示及び選択するための他の手段に加えて、又は、これら手段に代えて利用されても良い。本発明の１つの実施形態では、ユーザ・インタフェース６０は、複数の制御キー６１〜６５を含んでいても良い。ある実施形態では、それら制御キー６１〜６５は、小さなダイアル制御キー６１〜６３と多目的ノブ６４、６５の組み合わせでも良く、これらは、本願で説明した特徴及び機能を実現するように機能しても良い。例えば、本発明のある実施形態では、キー６１は、選択可能な拡張型インジケータの選択を制御し、キー６２は、課題位置インジケータの選択（例えば、次、前の機能）を制御し、キー６３は、選択可能な状態フィールドの選択を制御する一方で、更にもう１つのキー６４は、図４の信号３０１のような信号／レイヤの表示を制御しても良い。付加的なキーには、例えば、選択された課題位置インジケータ３０２ａ、ｂの位置に関連する信号の部分を構成する領域を、視覚的に変更（拡張や縮小）することによって表示された信号を更に詳しく視覚的に調査するために、少なくとも１つのキー６５（いわゆる「ズーム」キー）を含めても良い。当然ながら、キー６１〜６５の位置は、単に説明の都合に過ぎず、それらの機能又は本発明の範囲を変えることなく、それらの位置を変更しても良い。更に、５個の独立したキーとして示されているが、キー６１〜６５の１つ以上をもっと少ないキーに組み合わせるか、又は、もっと多数のキーへと更に分解しても良い。これに代えて、制御キーが、表示部６の一部を構成するソフト・キーを含んでいても良い。こうした場合、レイヤ、視覚物、視覚物内に収容されるコンテンツの生成、表示及び選択を、ソフト・キーに対してスクリーンを直接タッチすることで制御するようにしても良い。当然ながら、本願で説明した実施形態と連動して利用できるプッシュ・キー、制御ボタン、プルダウン・メニューなどや、その他の適切な手段のような、他のあらゆる制御キーを用いても良い。更に加えて、ソフト・キーは、インターフェース部７を介して「マウスのような」デバイスを用いて選択されても良い。インターフェース６０は、上述した図１〜５に描かれた実施形態と連動して用いても良い。
【００６７】
本発明の特定の実施形態を説明してきたが、当然ながら本発明の原理は、これら実施形態に限定されるものではない。本願で説明したこれら実施形態の特徴及び機能について、以下の請求項に記載の本発明の原理、主旨及び範囲から離れることなく、別の変形及び変更を行うことができる。
【符号の説明】
【００６８】
１  バス・状態及び分析システム
２ａ  アナログ・チャンネル 入力部
２ｂ  デジタル・チャンネル 入力部
３  取込み部
３ａ  取込みメモリ
４  プロセッサ
４ａ  プログラム・メモリ
５  入力部
６  表示部
７  インターフェース部
８ａ  入力経路
８ｂ  入力経路
１０ａ  経路
１０ｂ  経路
１１  操作インターフェース
６１〜６５  制御キー
１００  バス信号の波形
１０１ａ〜ｄ  レイヤ・インジケータ
１０２ａ〜ｂ  課題インジケータ
１０３  拡張型インジケータ
１０４ａ〜ｄ  レイヤの表示
１０５ａ〜ｄ  サブ・レイヤの表示
１１０  バス信号関連表示
２０１  ダッシュボード
２０２ａ〜ｃ  選択型状態フィールド（チェック・ボックス）
２０３ａ〜ｃ  種々の情報
２０４  表示信号インジケータ
３０１  被試験信号の波形
３０２ａ〜ｂ  課題位置インジケータ
【図１】
2014098698.tif 000003
【図２Ａ】
2014098698.tif 000004
【図２Ｂ】
2014098698.tif 000005
【図３】
2014098698.tif 000006
【図４】
2014098698.tif 000007
【図５】
2014098698.tif 000008
【図６】
2014098698.tif 000009
【外国語明細書】
2014098698.tif 000010
2014098698.tif 000011
2014098698.tif 000012
2014098698.tif 000013
2014098698.tif 000014
2014098698.tif 000015
2014098698.tif 000016
2014098698.tif 000017
2014098698.tif 000018
2014098698.tif 000019
2014098698.tif 000020
2014098698.tif 000021
2014098698.tif 000022
2014098698.tif 000023
2014098698.tif 000024
2014098698.tif 000025
2014098698.tif 000026
2014098698.tif 000027
2014098698.tif 000028
2014098698.tif 000029
2014098698.tif 000030
2014098698.tif 000031
2014098698.tif 000032
2014098698.tif 000033
2014098698.tif 000034
2014098698.tif 000035
2014098698.tif 000036